(57)【特許請求の範囲】
【請求項１】
互いに通信可能な携帯型電子機器，データベース・サーバならびにメール・サーバからなるデータ登録システムにおいて，上記携帯型電子機器から上記データベース・サーバに上記携帯型電子機器のユーザを識別するユーザ識別データを送信し，
上記データベース・サーバは，
上記携帯型電子機器から送信されるユーザ識別データを受信するユーザ識別データ受信手段，
上記ユーザ識別データ受信手段により受信された上記ユーザ識別データにもとづいて正当なユーザであるかどうかを判定する判定手段，
上記判定手段により正当なユーザであると判定されたことに応じて，上記データベース・サーバにおけるデータ登録が完了するまでの間一時的に用いられるユニークなＩＤを生成するユニークＩＤ生成手段，および
上記ユニークＩＤ生成手段により生成されたユニークなＩＤを示すデータを上記携帯型電子機器に送信するユニークＩＤ送信手段を備え，
上記携帯型電子機器は，
上記データベース・サーバの上記ユニークＩＤ送信手段から送信されたユニークなＩＤを示すデータを受信するユニークＩＤ受信手段，および
上記ユニークＩＤ受信手段によって受信されたユニークなＩＤを示すデータによって示されるユニークなＩＤにより特定される上記メール・サーバの電子メール・アドレスに，上記データベース・サーバに登録すべきデータを電子メールを用いて送信する第１の登録対象データ送信手段を備え，
上記メール・サーバは，
上記携帯型電子機器の上記第１の登録対象データ送信手段から電子メールを用いて送信されたデータを受信する登録対象データ受信手段を備えた，
データ登録システム。
【請求項２】
上記メール・サーバが，上記登録対象データ受信手段によって受信した登録対象データを，上記ユーザ識別データと対応づけて上記データベース・サーバに登録する登録制御手段をさらに備えた請求項１に記載のデータ登録システム。
【請求項３】
上記メール・サーバが，
上記登録対象データ受信手段によって受信した登録対象データと上記ユーザ識別データを示すデータとを対応づけて上記データベース・サーバに送信する第２の登録データ送信手段をさらに備え，
上記データベース・サーバが，
上記メール・サーバの上記第２の登録データ送信手段から送信された上記登録対象データと上記ユーザ識別データを示すデータとを受信する第２の登録対象データ受信手段，および
上記第２の登録対象データ受信手段によって受信した登録対象データを，上記ユーザ識別データと対応づけて，上記データベース・サーバに登録する登録制御手段，
をさらに備えた請求項１に記載のデータ登録システム。
【請求項４】
上記データベース・サーバの上記ユニークＩＤ送信手段は，上記ユニークなＩＤにより特定される電子メール・アドレスがホット・テキストとなるようなＨＴＭＬファイルに上記ユニークなＩＤを示すデータを含ませて，上記携帯型電子機器に送信するものである，請求項１に記載のデータ登録システム。
【請求項５】
携帯型電子機器から送信されるユーザ識別データを受信するユーザ識別データ受信手段，
上記ユーザ識別データ受信手段により受信された上記ユーザ識別データにもとづいて正当なユーザであるかどうかを判定する判定手段，
上記判定手段により正当なユーザであると判定されたことに応じて，データベース・サーバにおけるデータ登録が完了するまでの間一時的に用いられるユニークなＩＤを生成するユニークＩＤ生成手段，
上記ユニークＩＤ生成手段により生成されたユニークなＩＤを示すデータを上記携帯型電子機器に送信するユニークＩＤ送信手段，および
上記ユニークなＩＤを含む電子メール・アドレス宛の電子メールを用いて，上記携帯型電子機器からメール・サーバに送信される登録データを，上記メール・サーバから受信して，上記ユーザ識別データと対応付けて登録するデータ登録手段，
を備えたデータベース・サーバ。
【請求項６】
データベース・サーバおよびメール・サーバに通信可能な携帯型電子機器において，
上記データベース・サーバから送信された，正当なユーザに送信される，上記データベース・サーバにおけるデータ登録が完了するまでの間一時的に用いられるユニークなＩＤを示すデータを受信するユニークＩＤ受信手段，および
上記ユニークＩＤ受信手段によって受信されたユニークなＩＤを示すデータによって示されるユニークなＩＤにより特定される上記メール・サーバの電子メール・アドレスに，上記データベース・サーバに登録すべきデータを電子メールを用いて送信する登録対象データ送信手段，
を備えた携帯型電子機器。
【請求項７】
携帯型電子機器から送信されるユーザ識別データを受信し，
受信した上記ユーザ識別データにもとづいて正当なユーザであるかどうかを判定し，
正当なユーザであると判定されたことに応じて，データベース・サーバにおけるデータ登録が完了するまでの間一時的に用いられるユニークなＩＤを生成し，
生成されたユニークなＩＤを示すデータを上記携帯型電子機器に送信し，
上記ユニークなＩＤを含む電子メール・アドレス宛の電子メールを用いて，上記携帯型電子機器からメール・サーバに送信される登録データを，上記メール・サーバから受信して，上記ユーザ識別データと対応付けて登録する，
データベース・サーバの動作制御方法。
【請求項８】
データベース・サーバおよびメール・サーバに通信可能な携帯型電子機器において，
上記データベース・サーバから送信された正当なユーザに送信される，上記データベース・サーバにおけるデータ登録が完了するまでの間一時的に用いられるユニークなＩＤを示すデータを受信し，
受信したユニークなＩＤを示すデータによって示されるユニークなＩＤにより特定される上記メール・サーバの電子メール・アドレスに，上記データベース・サーバに登録すべきデータを電子メールを用いて送信する，
携帯型電子機器の動作制御方法。
【発明の詳細な説明】
【０００１】
【技術分野】
この発明は，データ登録システムならびにデータ登録システムを構成するデータベース・サーバおよびその動作制御方法，携帯型電子機器およびその動作制御方法に関する。
【０００２】
【発明の背景】
現在，データベース・サーバに画像データ，音楽データ，テキスト・データなどのデータを登録することが可能となっている。データベース・サーバに登録されたデータは，登録したユーザ（オーナ）のみが削除，変更などをすることができる。このために登録したデータとユーザとを対応づけておく必要がある。
【０００３】
一方，携帯電話などを用いてデータベース・サーバにデータを登録することもできる。携帯電話を用いる場合，データの登録は電子メールを利用しなければならない。すなわち，携帯電話を用いてデータベース・サーバにアクセスする。その後，登録すべきデータを添付ファイルとして電子メールでメール・サーバに送信する。電子メールの添付ファイルに含まれるデータがメール・サーバからデータベース・サーバに送信され，データベース・サーバに格納される。
【０００４】
このように携帯電話を用いて，データをデータベース・サーバに登録する場合には，データを登録するデータベース・サーバと異なるメール・サーバに登録すべきデータを送信することとなるので，登録したデータとユーザとを対応させることが難しくなることがある。このために，電子メールの本文，サブジェクトにユーザを識別するためのＩＤを記入させたり，電子メールの送信元をあらかじめデータベース・サーバに登録しておき，電子メールの送信元を確認することにより登録するデータとユーザとを対応づけたりしている。しかしながら，いずれの方法であってもセキュリティの不完全，使用勝手の低下などという問題は，解決されていない。
【０００５】
【発明の開示】
この発明は，電子メールを利用してデータをデータベース・サーバに登録する場合であってもセキュリティが高く，かつ使用勝手の良いようにすることを目的とする。
【０００６】
この発明は，互いに通信可能な携帯型電子機器，データベース・サーバならびにメール・サーバからなるデータ登録システムについてのものである。まず，上記携帯型電子機器から上記データベース・サーバに上記携帯型電子機器のユーザを識別するユーザ識別データが送信される。
【０００７】
上記データベース・サーバは，上記携帯型電子機器から送信されるユーザ識別データを受信するユーザ識別データ受信手段，上記ユーザ識別データ受信手段により受信された上記ユーザ識別データにもとづいて正当なユーザであるかどうかを判定する判定手段，上記判定手段により正当なユーザであると判定されたことに応じてユニークなＩＤを生成するユニークＩＤ生成手段（あらかじめユニークＩＤが生成されており，生成されているユニークＩＤの中から選択してもよい），および上記ユニークＩＤ生成手段により生成されたユニークなＩＤを示すデータを上記携帯型電子機器に送信するユニークＩＤ送信手段を備えている。
【０００８】
上記携帯型電子機器は，上記データベース・サーバの上記ユニークＩＤ送信手段から送信されたユニークなＩＤを示すデータを受信するユニークＩＤ受信手段，および上記ユニークＩＤ受信手段によって受信されたユニークなＩＤを示すデータによって示されるユニークなＩＤにより特定される上記メール・サーバの電子メール・アドレスに，上記データベース・サーバに登録すべきデータを電子メールを用いて送信する第１の登録対象データ送信手段を備えている。
【０００９】
上記メール・サーバは，上記携帯型電子機器の上記第１の登録対象データ送信手段から電子メールを用いて送信されたデータを受信する登録対象データ受信手段を備えている。
【００１０】
この発明は，上記データベース・サーバ，上記携帯型電子機器および上記メール・サーバをそれぞれ単独で構成してもよい。
【００１１】
また，この発明は，上記データベース・サーバの動作制御方法も提供している。すなわち，この方法は，携帯型電子機器から送信されるユーザ識別データを受信し，受信した上記ユーザ識別データにもとづいて正当なユーザであるかどうかを判定し，正当なユーザであると判定されたことに応じてユニークなＩＤを生成し，生成されたユニークなＩＤを示すデータを上記携帯型電子機器に送信するものである。
【００１２】
さらに，この発明は，上記携帯型電子機器の動作制御方法も提供している。すなわち，この方法は，データベース・サーバおよびメール・サーバに通信可能な携帯型電子機器において，上記データベース・サーバから送信された正当なユーザに送信されるユニークなＩＤを示すデータを受信し，受信したユニークなＩＤを示すデータによって示されるユニークなＩＤにより特定される上記メール・サーバの電子メール・アドレスに，上記データベース・サーバに登録すべきデータを電子メールを用いて送信するものである。
【００１３】
この発明によると，上記携帯型電子機器から上記データベース・サーバに，上記携帯型電子機器のユーザを識別するユーザ識別データ（ユーザＩＤ，暗証番号など）が送信される。
【００１４】
上記データベース・サーバにおいて上記ユーザ識別データが受信されると，正当なユーザかどうかが判定される。この判定処理により，ユーザを確認できるのでいたずらなどを未然に防止できる。正当なユーザと判定されると，ユニークなＩＤが上記データベース・サーバにおいて生成される（異なるユーザであればもちろん，同一のユーザであってもデータベース・サーバにアクセスするごとにユニークなＩＤが生成される。もっとも，同一ユーザの場合であればアクセスするごとにユニークなＩＤを生成せずにユーザ固有のＩＤを決めても良い。）。生成されたユニークなＩＤは，上記データベース・サーバから上記携帯型電子機器に送信される。
【００１５】
上記携帯型電子機器において，ユニークなＩＤが受信される。すると，このユニークなＩＤによって特定される上記メール・サーバの電子メール・アドレスに，上記データベース・サーバに登録すべきデータ（画像データ，音声データ，テキスト・データなど）が電子メールを用いて送信される。
【００１６】
上記メール・サーバにおいて上記データベース・サーバに登録すべきデータが受信される。
【００１７】
メール・サーバにおいて，登録すべきデータが受信されると，受信した登録すべきデータとユーザＩＤとを対応づけて上記データベース・サーバに登録することとなる。
【００１８】
ユーザＩＤと対応づけて登録対象データを上記データベース・サーバに登録できるようになる。ユニークなＩＤは，データベース・サーバにおいて生成されるので，正当権限なき第三者によるいたずらも未然に防止できる。また，あらかじめ送信元アドレスを記憶しておく必要もないので，使用勝手も比較的よい。
【００１９】
上記メール・サーバに，上記登録対象データ受信手段によって受信した登録対象データと上記ユーザＩＤを示すデータとを対応づけて上記データベース・サーバに送信する第２の登録データ送信手段をさらに備えてもよい。
【００２０】
この場合，上記データベース・サーバに，上記メール・サーバの上記第２の登録データ送信手段から送信された上記登録対象データと上記ユーザＩＤを示すデータとを受信する第２の登録対象データ受信手段，および上記第２の登録対象データ受信手段によって受信した登録対象データを，上記ユーザＩＤと対応づけて，上記データベース・サーバに登録する登録制御手段を備えることとなろう。
【００２１】
上記データベース・サーバの上記ユニークＩＤ送信手段は，上記ユニークなＩＤにより特定される電子メール・アドレスがホット・テキストとなるようなＨＴＭＬファイルに上記ユニークなＩＤを示すデータを含ませて，上記携帯型電子機器に送信するものとしてもよい。
【００２２】
上記携帯型電子機器が表示装置をもつものであれば（または携帯型電子機器に表示装置が接続されれば），上記ＨＴＭＬファイルにもとづく画像が表示される。表示された画像のホット・テキストがクリックされることにより，上記データベース・サーバに登録されるデータが，上記メール・サーバの電子メール・アドレスに送信されることとなる。
【００２３】
携帯型電子機器のユーザは，電子メール・アドレスを自分で入力することもなく（電子メール・アドレスを意識することなく）データを電子メールで送信できるようになる。
【００２４】
【実施例の説明】
図１は，この発明の実施例を示すもので，画像データ登録システムの概要を示している。
【００２５】
インターネットを介して携帯電話２，データベース・サーバ20およびメール・サーバ30が互いに通信可能である。データベース・サーバ20には，登録すべき画像データを格納するデータベース28が接続されている。携帯電話２には，ディジタル・スチル・カメラ１により撮像された画像データが与えられる。
【００２６】
この実施例によるデータ登録システムは，データベース・サーバ20の画像データを登録するホーム・ページ（Ｗｅｂページ）に携帯電話２によりアクセスし，正当なユーザかどうかが認証される。正当なユーザと認証されると，登録すべき画像データが含まれる画像ファイルを添付ファイルとした電子メールが携帯電話２からメール・サーバ30に送信される。電子メールに添付された画像ファイルに含まれる画像データがメール・サーバ30からデータベース・サーバ20に与えられ，データベース28に格納される。より詳しくは，以下の説明によって明らかとなろう。
【００２７】
図２は，携帯電話２の電気的構成を示すブロック図である。
【００２８】
携帯電話２の全体の動作は，ＣＰＵ13によって統括される。
【００２９】
ＣＰＵ13には，携帯電話２のプログラムその他のデータが格納されている不揮発性メモリ14および所定のデータを記憶するためのメモリ12が接続されている。
【００３０】
携帯電話２には，テン・キーパッド，決定ボタンなどの各種キーを含む操作スイッチ群15が設けられている。この操作スイッチ群15からの出力信号は，ＣＰＵ13に入力する。また，電話番号，画像等を表示するための液晶表示装置16も携帯電話２に設けられている。
【００３１】
マイクロフォン３に与えられた音声は，変調回路３によって電気的な音声信号に変換される。変換された音声信号は，アナログ／ディジタル変換回路５においてディジタル音声データに変換される。ディジタル音声データは，送受信バッファ９を介して送受信回路10に与えられ，送受信回路10によって内蔵アンテナ11から送信される。
【００３２】
また，他の携帯電話等から送信された音声データは，内蔵アンテナ11を介して送受信回路10によって受信される。受信した音声データは，送受信バッファ９を介してディジタル／アナログ変換回路８においてアナログ音声信号に変換される。アナログ音声信号は，復調回路７において復調され，スピーカ６から音声出力される。
【００３３】
携帯電話２は，画像データの送受信も可能である。画像データを入力する入力Ｉ／Ｆ（インターフェイス）17が携帯電話２に設けられている。入力Ｉ／Ｆ17から入力した画像データ（上述したようにたとえばディジタル・スチル・カメラ１から与えられる画像データが入力する）は，送受信バッファ９に一時的に記憶される。送受信バッファ９から読み出された画像データは，送受信回路10により内蔵アンテナ11から送信される。
【００３４】
また，内蔵アンテナ11を介して送受信回路10により受信された画像データは，送受信バッファ９に一時的に記憶される。画像データは，送受信バッファ９から読み出され，液晶表示装置16に与えられる。受信した画像データによって表される画像が表示される。
【００３５】
図３は，データベース・サーバ20の電気的構成を示すブロック図である。
【００３６】
データベース・サーバ20の全体の動作は，ＣＰＵ21によって統括される。
【００３７】
データベース・サーバ20には，各種指令を与えるためのキーボード22，ユニークＩＤテーブルその他所定のデータを記憶すめためのメモリ23，ハードディスク・ドライブ24，インターネットに接続するためのネットワーク・カード25，表示装置26およびユニークＩＤ生成装置27が含まれている。
【００３８】
ユニークＩＤ生成装置27は，詳しくは後述するように携帯電話２からアクセスされたことに応じてユニークなＩＤを生成するものである。同一のユーザかどうかにかかわらず，アクセスごとにユニークなＩＤが生成される。
【００３９】
図４は，ユニークＩＤテーブルを示している。
【００４０】
ユニークＩＤテーブルには，ユーザ名，ユーザＩＤ，ユーザの暗証番号およびユニークＩＤがそれぞれのユーザごとに格納されている。ユニークＩＤが発行されるごとに，ユニークＩＤに対応してユーザ名，ユーザＩＤおよび暗証番号がユニークＩＤテーブルに格納されていく。後述するように，ユーザから送信される画像データがデータベース28に登録するまで，ユニークＩＤテーブルの各データは記憶されている。画像データがデータベース28に登録されると，対応するユーザ名，ユーザＩＤ，暗証番号およびユニークＩＤが消去される。
【００４１】
図５は，画像データ登録システムの処理手順を示すフローチャートである。
【００４２】
データベース28に登録すべき画像データは，ディジタル・スチル・カメラ１から携帯電話２に与えられているものとする。
【００４３】
携帯電話２を用いてデータベース・サーバ20がもつインターネット・アルバム・ホーム・ページ（データベース28に画像データを登録するためのホーム・ページ）にアクセスされる（ステップ51）。
【００４４】
携帯電話２とデータベース・サーバ20との間で通信が確立されると，データベース・サーバ20から携帯電話２に認証画像を表すデータが送信される（ステップ41）。
【００４５】
携帯電話２において，データベース・サーバ20から送信された認証画像を表す画像データが受信されると，携帯電話２の表示装置16の表示画面上には認証画像か表示される（ステップ52）。
【００４６】
図６は，認証画像の一例を示している。
【００４７】
携帯電話２の表示装置16の表示画面の上部には，サービスの説明を表示させるためのクエスチョン領域72が形成されている。クエスチョン領域72がユーザによって操作スイッチ群15を用いて選択され，操作スイッチ群15の中の決定ボタンが押されると，サービスの説明画像が表示画面71に現れる。
【００４８】
携帯電話２の表示装置16の表示画面71には，その下部に暗証番号入力用の枠73が形成されている。携帯電話２の操作スイッチ群15を用いて枠73が選択される。その後，操作スイッチ群15に含まれるテン・キーパッドを用いて暗証番号が入力される（ステップ53）。入力された暗証番号が枠73に表示される。もっとも，入力された暗証番号が分からないように入力に応じてアスタリスクが表示されるようにしてもよい。
【００４９】
枠73の下にはＯＫ領域74が形成されている。枠73に入力された暗証番号で良ければ，ＯＫ領域74がユーザによって選択され，操作スイッチ群15に含まれる決定ボタンが押される。すると，ユーザによって入力された暗証番号を表すデータが携帯電話２からデータベース・サーバ20に送信される（ステップ54）。
【００５０】
データベース・サーバ20において，携帯電話２から送信された暗証番号を表すデータが受信される。受信された暗証番号データによって表される暗証番号にもとづいて，データベース・サーバ20にアクセスしたユーザが正当なユーザかどうかを判定する認証処理が実行される（ステップ42）。データベース・サーバ20には，暗証番号に対応してユーザごとの認証テーブルが記憶されており，その認証テーブルを参照することにより認証処理が実行されるのはいうまでもない。
【００５１】
認証処理により正当なユーザであることが確認されると（ステップ43でＹＥＳ），データベース・サーバ20のユニークＩＤ生成装置27によってユニークなＩＤが生成される（ステップ44）。ユニークＩＤが生成されると，図４に示したように生成されたユニークＩＤがユーザ名，ユーザＩＤおよび暗証番号に対応してユニークＩＤテーブルに格納される。暗証番号に対応してユーザ名およびユーザＩＤがデータベース・サーバ20に記憶されているのはいうまでもない。
【００５２】
ユニークＩＤが生成されると，そのユニークＩＤをメール・アドレスとして含むＨＴＭＬファイルが生成される（ステップ45）。
【００５３】
この例では，「To6870mC899536234074841At 」というユニークＩＤが生成されたものとする。また，ホーム・ページのドメイン名は，「webpic.net」であると仮定する。メール・サーバ30は，「To6870mC899536234074841At@webpic.net」というメール・アドレスを受け付けるように設定される。
【００５４】
図７は，生成されるＨＴＭＬ(hyper text markup language ）ファイルを作るためのＨＴＭＬの一例である。
【００５５】
第１行は，ＨＴＭＬ文書であることを示す開始タグであり，第11行は，ＨＴＭＬ文書であることを示す終了タグである。第２行は，ＨＴＭＬ文書の本文部であることを示す開始タグであり，第10行は，ＨＴＭＬ文書の本文部であることを示す終了タグである。第３行は，センタリングの開始タグであり，第９行は，センタリングの終了タグである。第４行は，タイトル画像（後述する図８のインターネットアルバムの画像部分75）をホーム・ページにロードすることを示している。また，第４行は，そのタイトル画像の幅および高さも示している。
【００５６】
第５行は，水平ラインを指定するタグである。第６行は，ホーム・ページに表示されるテキストの内容およびそのテキストが終了することにより改行することを示している。第７行は，他のファイルにリンクさせるためのものであり，生成されたユニークＩＤがメール・アドレスとして記述されている。第７行により第８行の「ここ」の文字部分がホット・テキストとなる。
【００５７】
このようなＨＴＭＬにより規定されるファイルがデータベース・サーバ20から携帯電話２に送信される（ステップ46）。
【００５８】
データベース・サーバ20から送信されたＨＴＭＬファイルが携帯電話２において受信されると，携帯電話２の表示装置16の表示画面71には，図８に示すようにメール送信画像が表示される。
【００５９】
図８を参照して，メール送信画像には上述したＨＴＭＬ（図７第４行）により表されるタイトル画像75がその上部に表示される。また，このタイトル画像の下に上述したＨＴＭＬ（図７第６行から第８行）により表されるテキスト76が表示される。このテキスト76の中には，ホット・テキスト（「ここ」の文字部分）77が含まれている（図７第７行から第８行）。「ここ」で示されるホット・テキスト77がクリックされると，そのホット・テキスト77のリンク先であるメール・アドレスに電子メールが送信されることとなる。
【００６０】
ユーザによってホット・テキスト77の部分がクリックされる。すると，データベース28に格納すべき画像データを含む画像ファイルを添付した電子メールがホット・テキスト77により指定されるメール・アドレス宛に送信される（ステップ55）。送信すべき画像ファイルがあらかじめ電子メールに添付されているのはいうまでもない。
【００６１】
ホット・テキスト77により指定されるメール・アドレス宛に送信された電子メールがメール・サーバ30において受信される。受信した電子メールのメール・アドレスからユニークＩＤが検出される（ステップ61）。ユニークＩＤが検出されると，ユニークＩＤテーブルを参照してユーザＩＤが検索される（ステップ62）。検索により見つかったユーザＩＤと電子メールに添付された画像ファイルとが互いに関連づけられて（たとえば，同じフォルダに格納されて），メール・サーバ30からデータベース・サーバ20に送信される（ステップ63）。
【００６２】
ユーザＩＤと画像ファイルとがデータベース・サーバ20において受信され，ユーザＩＤに対応して画像ファイル（画像データ）がデータベース28に格納されることとなる。
【００６３】
上述した実施例においては，メール・サーバ30においてユニークＩＤからユーザＩＤを検索しているが，データベース・サーバ20においてユニークＩＤからユーザＩＤを検索するようにしてもよい。この場合には，メール・サーバ30からデータベース・サーバ20にユニークＩＤと画像ファイルとが互いに関連づけられて送信されることとなろう。
【００６４】
上述のようにして，ユーザＩＤと画像ファイルとを対応させてデータベース28に格納できる。とくに，ユーザは，「To6870mC899536234074841At@webpic.net」というメール・アドレスの認識および入力も不要となる。
【００６５】
さらに，上述した実施例においては画像データを登録するものであったが，画像データを登録する場合だけでなく，音声データ，テキスト・データなどを登録する場合にも適用できる。
【００６６】
また，上述した実施例においてはハードウエアにより構成されているが，ソフトウエアにより構成してもよいのはいうまでもない。
【図面の簡単な説明】
【図１】画像データ登録システムの概要を示している。
【図２】携帯電話の電気的構成を示すブロック図である。
【図３】データベース・サーバの電気的構成を示すブロック図である。
【図４】ユニークＩＤテーブルを示している。
【図５】画像データ登録システムの処理手順を示すフローチャートである。
【図６】携帯電話に表示される画像の一例である。
【図７】ＨＴＭＬの一例である。
【図８】携帯電話に表示される画像の一例である。
【符号の説明】
１  ディジタル・スチル・カメラ
２  携帯電話
13，21  ＣＰＵ
10  送受信回路
11  アンテナ
16  液晶表示装置
25  ネットワーク・カード
27  ユニークＩＤ生成装置
77  ホット・テキスト
【図１】
0004268341.tif 000002
【図２】
0004268341.tif 000003
【図３】
0004268341.tif 000004
【図４】
0004268341.tif 000005
【図５】
0004268341.tif 000006
【図６】
0004268341.tif 000007
【図７】
0004268341.tif 000008
【図８】
0004268341.tif 000009